(57)【要約】【課題】従来ではスペース的に不可能であった本数のフェルールを比較的容易に取り付けることができる治具盤を提供する。【解決手段】光ファイバの先端部を保持したフェルール用筒状体２２とフェルール用筒状体２２の外周に突設されたつば部２３とを有するフェルール２２の先端面を研磨する端面研磨装置の研磨盤に対向して配置される治具盤１０において、フェルール２０のフェルール用筒状体２２をその先端部を研磨盤側に突出させた状態で保持する保持部３１が設けられた治具盤本体３０と、治具盤本体３０上に配設され且つ保持部３１に保持されたフェルール２０のつば部２３の後端面に当接する当接位置と保持部３１に干渉しない退避位置との間を治具盤本体３０の内外方向に沿って直線状に往復移動可能に保持された板部材４０と、板部材４０を治具盤本体３０側に向かって付勢する付勢手段５０とからなる構成であるので、フェルール２０の取り付けが比較的容易であり、且つフェルール２０の取り付け本数を多くすることができる。【選択図】        図２
2005028515.tif 000002
【特許請求の範囲】
【請求項１】
光ファイバの先端部を保持したフェルール用筒状体と当該フェルール用筒状体の外周に突設されたつば部とを有するフェルールの先端面を研磨する端面研磨装置の研磨盤に対向して配置される治具盤において、
前記フェルールの前記フェルール用筒状体をその先端部を前記研磨盤側に突出させた状態で保持する保持部が設けられた治具盤本体と、該治具盤本体上に配設され且つ前記保持部に保持された前記フェルールの前記つば部の後端面に当接する当接位置と前記保持部に干渉しない退避位置との間を前記治具盤本体の内外方向に沿って直線状に往復移動可能に保持された板部材と、該板部材を前記治具盤本体側に向かって付勢する付勢手段とを具備することを特徴とする治具盤。
【請求項２】
請求項１において、前記治具盤本体は円盤形状を有し、且つ前記板部材は当該治具盤本体の径方向に往復移動可能であることを特徴とする治具盤。
【請求項３】
請求項１又は２において、前記板部材は、長孔の挿入孔を具備し、前記治具盤本体上に立設された棒状部材に前記挿入孔を係合することにより移動自在に配設されていることを特徴とする治具盤。
【請求項４】
請求項３において、前記板部材は、前記治具盤本体内側の端部側に前記挿入孔を有し、前記棒状部材に前記付勢手段が設けられていることを特徴とする治具盤。
【請求項５】
請求項１〜４の何れかにおいて、前記付勢手段は、前記棒状部材に装着された付勢ばねからなることを特徴とする治具盤。
【請求項６】
請求項５において、前記板部材と前記治具盤本体とには、前記当接位置で互いに係合する溝部及び突起部からなる係止部が設けられており、当該係止部の係合により前記当接位置が保持されることを特徴とする治具盤。
【請求項７】
請求項１〜６の何れかにおいて、前記板部材は、前記当接位置で前記フェルールの前記つば部の後端側に係合し且つ周縁部が前記つば部の後端面と当接する係合部を有することを特徴とする治具盤。
【請求項８】
請求項７において、前記係合部に連続して設けられ且つ前記避退位置で前記つば部と干渉しない大きさの装入孔を具備することを特徴とする治具盤。
【請求項９】
請求項１〜８の何れかにおいて、前記板部材は、前記治具盤本体内側の端部が当該治具盤本体に設けられた案内溝に係合して移動方向が規制されていることを特徴とする治具盤。
【請求項１０】
請求項１〜９の何れかにおいて、前記保持部は、前記フェルール用筒状体が挿入されるフェルール挿入孔と、該フェルール挿入孔に連通し且つ前記つば部が挿入される凹部とを具備し、当該凹部は、前記つば部の一部が前記治具盤本体上に所定量突出する深さで設けられていることを特徴とする治具盤。
【発明の詳細な説明】
【０００１】
【発明の属する技術分野】
本発明は、光ファイバを保持したフェルールの端面を研磨する端面研磨装置の研磨盤に対向して配置され、複数本のフェルールが取り付けられる治具盤に関する。
【０００２】
【従来の技術】
光コネクタプラグ等の主要部材であるフェルールは、光ファイバ挿入孔内に光ファイバを接着固定した後、フェルール端面とファイバ端面とを同時に平滑に研磨し、鏡面に仕上げて使用される。この研磨仕上げした光ファイバの研磨面が、フェルールの中心軸と垂直な面でなかったり、あるいは、研磨面に傷があったりすると、例えば、フェルール同士が対向接続される光コネクタプラグにおいて、対向位置精度が劣化し、損失が大きくなってしまう。このため、このような光ファイバを保持したフェルールの研磨面は高精度に研磨仕上げする必要がある。
【０００３】
ここで、フェルールの端面の研磨には、例えば、研磨部材が固定された研磨盤を具備する光ファイバ端面研磨装置を用いるのが一般的である。この光ファイバ端面研磨装置の研磨盤に対向する位置には、複数本のフェルールを取り付けた治具盤が配置される。このような治具盤としては、例えば、ホルダプレートと、ホルダプレートに設けられた固定軸と、この固定軸周りに回転可能に設けられた板状のフェルール抑えレバーとを具備するものが開示されている（例えば、特許文献１参照）。
【０００４】
なお、このような治具盤が取り付けられた光ファイバ端面研磨装置では、例えば、バネや重り等によって治具盤に荷重をかけることにより、自転および公転する研磨盤に固定された研磨部材に対して、治具盤に保持された多数のフェルール端面を押し付けて研磨を行うようになっている。
【０００５】
【特許文献１】
特開平８−１０８３５８号公報  （特許請求の範囲）
【０００６】
【発明が解決しようとする課題】
しかしながら、上述した従来の治具盤は、フェルールを取り付ける際に、フェルールを研磨盤側に付勢するフェルール抑えレバーを回転させる必要があるため、大きなスペースを確保しなくてはならず、フェルールの取り付け本数が著しく制限されてしまうという問題がある。
【０００７】
本発明は、このような事情に鑑み、従来ではスペース的に不可能であった本数のフェルールを比較的容易に取り付けることができる治具盤を提供することを課題とする。
【０００８】
【課題を解決するための手段】
上記課題を解決する本発明の第１の態様は、光ファイバの先端部を保持したフェルール用筒状体と当該フェルール用筒状体の外周に突設されたつば部とを有するフェルールの先端面を研磨する端面研磨装置の研磨盤に対向して配置される治具盤において、前記フェルールの前記フェルール用筒状体をその先端部を前記研磨盤側に突出させた状態で保持する保持部が設けられた治具盤本体と、該治具盤本体上に配設され且つ前記保持部に保持された前記フェルールの前記つば部の後端面に当接する当接位置と前記保持部に干渉しない退避位置との間を前記治具盤本体の内外方向に沿って直線状に往復移動可能に保持された板部材と、該板部材を前記治具盤本体側に向かって付勢する付勢手段とを具備することを特徴とする治具盤にある。
【０００９】
本発明の第２の態様は、第１の態様において、前記治具盤本体は円盤形状を有し、且つ前記板部材は当該治具盤本体の径方向に往復移動可能であることを特徴とする治具盤にある。
【００１０】
本発明の第３の態様は、第１又は２の態様において、前記板部材は、長孔の挿入孔を具備し、前記治具盤本体上に立設された棒状部材に前記挿入孔を係合することにより移動自在に配設されていることを特徴とする治具盤にある。
【００１１】
本発明の第４の態様は、第３の態様において、前記板部材は、前記治具盤本体内側の端部側に前記挿入孔を有し、前記棒状部材に前記付勢手段が設けられていることを特徴とする治具盤にある。
【００１２】
本発明の第５の態様は、第１〜４の何れかの態様において、前記付勢手段は、前記棒状部材に装着された付勢ばねからなることを特徴とする治具盤にある。
【００１３】
本発明の第６の態様は、第５の態様において、前記板部材と前記治具盤本体とには、前記当接位置で互いに係合する溝部及び突起部からなる係止部が設けられており、当該係止部の係合により前記当接位置が保持されることを特徴とする治具盤にある。
【００１４】
本発明の第７の態様は、第１〜６の何れかの態様において、前記板部材は、前記当接位置で前記フェルールの前記つば部の後端側に係合し且つ周縁部が前記つば部の後端面と当接する係合部を有することを特徴とする治具盤にある。
【００１５】
本発明の第８の態様は、第７の態様において、前記係合部に連続して設けられ且つ前記避退位置で前記つば部と干渉しない大きさの装入孔を具備することを特徴とする治具盤にある。
【００１６】
本発明の第９の態様は、第１〜８の何れかの態様において、前記板部材は、前記治具盤本体内側の端部が当該治具盤本体に設けられた案内溝に係合して移動方向が規制されていることを特徴とする治具盤にある。
【００１７】
本発明の第１０の態様は、第１〜９の何れかの態様において、前記保持部は、前記フェルール用筒状体が挿入されるフェルール挿入孔と、該フェルール挿入孔に連通し且つ前記つば部が挿入される凹部とを具備し、当該凹部は、前記つば部の一部が前記治具盤本体上に所定量突出する深さで設けられていることを特徴とする治具盤にある。
【００１８】
かかる本発明の治具盤は、フェルールのつば部の後端面に当接する板部材を治具盤本体の内外方向に沿って直線状に往復移動可能に設けることにより、フェルールの取り付けが比較的容易であり、且つ従来の治具盤のように回転移動のためのスペースを確保する必要性はないのでフェルールの取り付け本数を増やすことができるという効果を奏する。
【００１９】
【発明の実施の形態】
以下、図面に基づいて本発明の実施形態を詳細に説明する。
【００２０】
（実施形態１）
図１は、本発明の実施形態１に係る治具盤を示す斜視図及び平面図である。図２は、図１（ｂ）の要部拡大平面図及びＡ−Ａ′断面図である。図３は、治具盤本体の斜視図及び平面図である。図４は、板部材の斜視図である。図５は、図２（ａ）のＢ−Ｂ′断面図である。
【００２１】
図１及び図２に示すように、本実施形態の治具盤１０は、光ファイバ２１を保持した複数本のフェルール２０を保持する保持部３１を有する治具盤本体３０と、この治具盤本体３０上に複数配設された板部材４０と、この板部材４０の治具盤本体３０内側の一端部側に設けられてその板部材４０を治具盤本体３０側に付勢する付勢手段５０とを具備する。そして、板部材４０のそれぞれは、治具盤本体３０上に付勢手段５０を介して保持され、且つその治具盤本体３０の内外方向に沿って直線状に往復移動可能に設けられている。
【００２２】
治具盤本体３０は、例えば、図３に示すように、多角形状、本実施形態では、１２角形状を有し、その周縁部には、フェルール２０の一部が挿入されて保持される一対の保持部３１が治具盤本体３０の各側面に対応する位置にそれぞれ設けられている。例えば、本実施形態では、一対の保持部３１を１２ヶ所、すなわち、１本のフェルール２０を保持する保持部３１を治具盤本体３０の周方向に亘って２４個設けた。勿論、このような治具盤本体３０として、例えば、円状、矩形等の外形を有するものを用いてもよい。
【００２３】
ここで、フェルール２０は、図２（ｂ）に示すように、光ファイバ２１の先端部を保持したフェルール用筒状体２２と、このフェルール用筒状体２２の後端部に嵌合されフェルール用筒状体２２の径方向に所定量突出したつば部２３を有するつば部材２４とを具備する。
【００２４】
そして、治具盤本体３０の保持部３１は、このようなフェルール２０のフェルール用筒状体２２が挿入されるフェルール挿入孔３１ａと、このフェルール挿入孔３１ａに連通して設けられフェルール２０のつば部２３が挿入される凹部３１ｂとを具備する。
【００２５】
フェルール挿入孔３１ａは、フェルール用筒状体２２の外径より若干大きい内径を有するが、フェルール挿入孔３１ａのフェルール用筒状体２２に対するクリアランスは例えば、０．００５μｍ以下であるのが好ましい。また、治具盤本体３０の研磨盤側の面に垂直な基準軸に対するフェルール挿入孔３１ａの中心軸の傾斜角度は例えば、０．００５°以下であるのが好ましい。
【００２６】
一方、このようなフェルール挿入孔３１ａに連通する凹部３１ｂは、本実施形態では、つば部２３の厚さより浅く形成され、つば部２３の外径より大きい内径で形成されている。また、治具盤本体３０の各保持部３１の間の領域には、各凹部３１ｂに連通する溝部３２が設けられている。この溝部３２には、板部材４０の突起部が係合される。この突起部については、詳しく後述する。このような溝部３２は、例えば、ダイスカッター等により治具盤本体３０の周縁部を直線状に削ることにより形成される。その際、治具盤本体３０の縁部で且つ凹部３１ｂの外側には、溝部３２及び凹部３１ｂに連通する切り欠き溝３３が形成される。
【００２７】
そして、本実施形態では、フェルール２０のフェルール用筒状体２２がフェルール挿入孔３１ａに挿入され、つば部２３の先端面が凹部３１ｂの底面に当接することにより、フェルール２０は、フェルール用筒状体２２の先端部が研磨盤側、すなわち、治具盤本体３０の凹部３１ｂ側の面とは反対側の面から突出し、且つつば部２３の後端部が治具盤本体３０上に所定量突出した状態で保持部３１に保持される。
【００２８】
また、このような治具盤本体３０上には、板部材４０の治具盤本体３０内側の端部である一端部が係合する案内溝３４が複数、例えば、本実施形態では、治具盤本体３０の外周に沿って等間隔で１２個設けられている。このような案内溝３４は、治具盤本体３０上の突出部３５を径方向に切り欠くことで形成され、その開口近傍には、治具盤本体３０の厚さ方向に貫通した貫通孔３６がそれぞれ設けられている。なお、治具盤本体３０の中央部には、後述する端面研磨装置の取り付け部となるボス部材３７が接合されている。
【００２９】
さらに、治具盤本体３０の各案内溝３４には、それぞれ、治具盤本体３０に保持された各フェルール２０のつば部２３の後端面に当接する板部材４０が係合している。
【００３０】
具体的には、板部材４０は、治具盤本体３０上の一対の保持部３１と各案内溝３４とに対応する位置にそれぞれ配設され、本実施形態では、治具盤本体３０の外周に亘って１２個設けられている。また、この板部材４０は、図４に示すように、案内溝３４に係合される一端部側に挿入孔４１が設けられている。そして、この挿入孔４１は、本実施形態では、長孔状に設けられ、板部材４０の移動範囲、すなわち、板部材４０の一部が保持部３１に保持されたフェルール２０のつば部２３の後端面に当接する当接位置と保持部３１に干渉しない退避位置との間の移動範囲を規制している。
【００３１】
一方、板部材４０の治具盤本体３０外側の他端部側には、フェルール２０のつば部２３よりも後端側の部分、すなわち、つば部材２４の円筒部分に係合し且つ周縁部がつば部２３の後端面に当接する係合部が設けられている。例えば、本実施形態では、板部材４０の他端部側に、つば部２３に干渉しない大きさの装入孔４２が設けられ、この装入孔４２に連続して設けられた細溝部４３が係合部となっている。この装入孔４２は、つば部２３の外径より大きい内径を有し、細溝部４３は、つば部材２４の円筒部分の外径より大きい幅で且つつば部２３の外径より小さい幅を有している。このような装入孔４２及び細溝部４３は、一対の保持部３１に対応して各板部材４０に２個ずつ設けられている。
【００３２】
なお、本実施形態では、上述したように、板部材４０を治具盤本体３０の周縁部に１２個設ける一方、治具盤１０を持ち易くするため、図１に示すように、相対向する一対の板部材４０の他端部側に板部材４０の面方向に対して垂直な板部であるつまみ部４０ａが設けられている。
【００３３】
また、板部材４０の裏面、すなわち、治具盤本体３０側の面には、治具盤本体３０の各保持部３１の間に設けられた溝部３２に係合する突起部４４が各細溝部４３の両側に設けられている。この突起部４４は、溝部３２に係合する形状、本実施形態では、略矩形の断面形状を有している。そして、本実施形態では、突起部４４と溝部３２とで係止部を構成している。
【００３４】
このような板部材４０は、図２に示すように、治具盤本体３０上に立設された棒状部材６０、すなわち、治具盤本体３０の貫通孔３６に一端部が固定された棒状部材６０に挿入孔４１を介して係合され、且つ付勢手段５０によって治具盤本体３０側に付勢されている。
【００３５】
具体的には、棒状部材６０の先端部には、その軸周りに設けられた固定溝６１に固定リング６２が嵌合され、付勢手段５０はこの固定リング６２と板部材４０との間にリング部材６３及び６４を介して保持されている。これにより、板部材４０は、付勢手段５０により治具盤本体３０側に付勢され、且つ付勢手段５０（付勢ばね）の弾性変形により棒状部材６０の軸方向への移動が許容されている。すなわち、板部材４０は、一端部側の挿入孔４１の周縁部が付勢手段５０によって付勢されているので、その他端部を持ち上げることにより、付勢手段５０が弾性変形し、板部材４０の一端側が支点となって、他端部が治具盤本体３０から離れる方向への移動が許容されている。
【００３６】
また、本実施形態では、板部材４０の一端部側は、それぞれ、治具盤本体３０上に設けられた案内溝３４に係合しているので、各板部材４０が当接位置と退避位置との間を移動する際に、一端部の近傍の側面が案内溝３４の内面に摺接される。このため、板部材４０は、治具盤本体３０の内外方向、本実施形態では、治具盤本体３０の径方向に沿った直線状の往復移動方向に規制されている。すなわち、板部材４０は、その一端部の近傍の側面が案内溝３４の内面に当接するため、棒状部材６０の軸周りの回転移動が規制されている。
【００３７】
さらに、このような板部材４０は、上述したように、挿入孔４１を介して棒状部材６０に係合しているので、この挿入孔４１の孔の形状によって、当接位置と退避位置との間の移動に制限されている。
【００３８】
ここで、図６を参照して、上述した構成の治具盤１０に板部材４０を介してフェルール２０を取り付ける手順について説明する。なお、図６は、治具盤の要部拡大断面図である。
【００３９】
まず、図６（ａ）に示すように、板部材４０を治具盤本体３０の外側に引き出す。具体的には、付勢手段５０によって付勢された状態の板部材４０をその一端部を支点として他端部を持ち上げると、板部材４０は、突起部４４の先端部が溝部３２の開口周縁の面に当接し、一端部側を支点として所定量傾斜し、溝部３２と突起部４４との係合が外れる。その後、溝部３２と突起部４４との係合が外れた状態から、板部材４０を治具盤本体３０の外側に向かって引き出すことにより、棒状部材６０が挿入孔４１の一端に当接し、板部材４０は、保持部３１に干渉しない退避位置、すなわち、装入孔４２と保持部３１とが一致する位置に移動する。
【００４０】
次に、図６（ｂ）に示すように、フェルール２０の先端側を装入孔４２に通すと共にフェルール用筒状体２２を保持部３１、すなわち、フェルール挿入孔３１ａに、フェルール２０のつば部２３の先端面が凹部３１ｂの底面に当接するまで挿入する。そして、挿入後は、フェルール用筒状体２２の先端部が治具盤本体３０の研磨盤側の面から所定量突出した状態となる。
【００４１】
次いで、図６（ｃ）に示すように、板部材４０を治具盤本体３０の内側に向かって押込むことにより、棒状部材６０が板部材４０の挿入孔４１の他端に当接し、板部材４０は、つば部２３の後端面に当接する当接位置、すなわち、細溝部４３と保持部３１とが一致する位置に移動する。このとき、板部材４０の突起部４４と治具盤本体３０の溝部３２とが係合すると共に、板部材４０の細溝部４３がつば部材２４の円筒部分と係合する。これにより、板部材４０と治具盤本体３０との間につば部２３が挟まれる。すなわち、板部材４０は、一端部側が付勢手段５０によって治具盤本体３０側に付勢されているので、細溝部４３の周縁部の治具盤本体３０側の面がつば部２３の後端面に当接され、フェルール２０が板部材４０と保持部３１との間に挟まれて保持される。このとき、板部材４０は、つば部２３の後端面に対してやや斜め方向から当接するが、本実施形態では、フェルール挿入孔３１ａを比較的高精度に形成しているので、フェルール２０の端面研磨の際、フェルール２０が保持部３１の内部でガタつくのを有効に防止でき、確実に研磨することができる。
【００４２】
以上説明したように、本実施形態の治具盤１０では、板部材４０を治具盤本体３０の内外方向に沿って直線状に往復移動可能としたので、板部材４０を治具盤本体３０の外側に向かって引き出してフェルール２０を保持部３１に保持させた後、板部材４０を治具盤本体３０の内側に押込むだけでフェルール２０の取り付けを行うことができ、フェルール２０の取り付け作業を大幅に簡略化することができる。また、板部材４０だけを移動させるので、付勢手段５０は取り付けの邪魔にならない。
【００４３】
さらに、板部材４０は、当接位置と避退位置との間を治具盤本体３０の内外方向に沿った直線状の移動に規制されているので、従来のように、回転移動に必要なスペースを確保しなくてもよく、フェルール筒状体２２を保持する保持部３１の間隔を狭くすることができ、省スペース化を図ることができる。これにより、本実施形態の治具盤１０によれば、従来ではスペース的に不可能であった２４本のフェルール２０を取り付けることができる。このため、この治具盤１０を端面研磨装置に取り付ければ、同時に２４本のフェルール２０を研磨できる。したがって、研磨時間を大幅に短縮でき、製造コストの削減を図ることができる。
【００４４】
また、本実施形態では、板部材４０の細溝部４３をつば部材２４の円筒部分に係合させ、そのつば部２３の後端面に細溝部４３の周縁部の治具盤本体３０側の面を当接させているので、フェルール２０の種類、すなわち、つば部２３の形状等に関係なく、治具盤１０に取り付けることができるという効果もある。
【００４５】
（他の実施形態）
以上、本発明の実施形態を説明したが、治具盤の基本的構成は上述したものに限定されるものではない。
【００４６】
例えば、上述した実施形態１では、付勢手段５０として付勢ばねを例示して説明したが、これに限定されず、弾性を有する板ばね材からなる板部材を用いてもよい。この場合には、例えば、板部材を付勢する付勢手段を設けず、治具盤本体上をその内外方向に沿って直線状に往復移動可能となる部材に板部材を固定してもよい。
【００４７】
また、上述した実施形態１では、１個の板部材４０で２本のフェルール２０を付勢するようにしたが、これに限定されず、１個の板部材で１本、若しくは３本以上のフェルールを付勢するようにしてもよい。
【００４８】
さらに、上述した実施形態１では、板部材４０に突起部４４を設け、治具盤本体３０に溝部３２を設けたが、これに限定されず、板部材に溝部を設け、治具盤本体に突起部を設けるようにしてもよい。
【００４９】
また、上述した実施形態１では、突起部４４の断面形状を略矩形としたが、これに限定されず、突起部の断面形状を三角形としてもよい。この場合には、溝部をＶ溝とするのが好ましい。
【００５０】
さらに、上述した実施形態１では、装入孔４２に連続して設けられた細溝部４３を有する板部材４０を例示したが、これに限定されず、図７（ａ）に示すように、細溝部４３Ａだけの構成からなる板部材４０Ａとしてもよい。このような板部材４０Ａの各細溝部４３Ａの両側には、上述した実施形態１と同様に、治具盤本体の溝部に係合する突起部４４Ａが設けられている。
【００５１】
また、上述した実施形態１では、円盤形状の治具盤本体３０を用いたが、これに限定されず、長方形の治具盤本体を用いてもよい。そして、このような治具盤本体上には、上述した実施形態１と同様の板部材４０を設けてもよいが、図７（ｂ）に示すような長方形の板部材４０Ｂを設けてもよい。この板部材４０Ｂは、幅方向一端部側に長手方向に亘って細溝部４３Ｂが複数並設されている。また、各細溝部４３Ｂの両側には、実施形態１と同様に、治具盤本体の溝部と係合する突起部４４Ｂが設けられている。
【００５２】
さらに、このような本発明の治具盤は、フェルールの端面を研磨する端面研磨装置の研磨盤に対向する位置に配置される。図８は、その端面研磨装置の一例を示す概略図である。なお、ここでは、上述した実施形態１の治具盤１０を搭載した一例を説明する。
【００５３】
図８に示すように、自転用モータ７１の回転軸には第１自転伝達盤７２の中心部が固結され、この第１自転伝達盤７２には回転中心を支点とする同心円上に複数の第１連結ピン７３が固定されている。そして、この各第１連結ピン７３は対応する各回転伝達盤７４の偏心部に回転自在に連結され、この各回転伝達盤７４には偏心部に第２連結ピン７５が固定されている。各第２連結ピン７５は第２自転伝達盤７６に回転自在に連結されている。
【００５４】
一方、公転用モータ７７の回転軸には駆動歯車７８の中心部が固結され、この駆動歯車７８には従動歯車７９がかみ合っている。この従動歯車７９は公転伝達軸８０の下部外周に固結され、この公転伝達軸８０の上部外周には装置本体８１の軸受筒部８２が嵌合している。そして、この公転伝達軸８０には回転中心より所定量偏心した位置に自転用回転軸８３が回転自在に嵌入し、この自転用回転軸８３の下端部は第２自転伝達盤７６の中心部に固結されている。
【００５５】
また、自転用回転軸８３の上端部は、結合部材８４を介して研磨盤８５に結合されており、さらに研磨盤８５の上面部には研磨部材８５ａが取り付けられている。
【００５６】
一方、装置本体８１には、支持機構９０によって治具盤１０が支持されている。この支持機構９０は、装置本体８１に固着された支持部９１に下方に向かって所定の押圧力で付勢される先端に円錐形状を有する押さえ軸９２と、この押さえ軸９２と平行に設けられた回転止めピン９３とで構成されている。
【００５７】
この押さえ軸９２の先端が治具盤１０のボス部材３７のテーパ孔に嵌合して治具盤１０を研磨盤８５方向に付勢することで、治具盤１０に保持されたフェルールを研磨部材８５ａに押し付けている。また、このボス部材３７に設けられた係合溝と回転止めピン９３とが係合することで治具盤１０の回転を規制している。
【００５８】
このように複数のフェルール２０を保持する治具盤１０は、支持部９１の押さえ軸９２と回転止めピン９３によって研磨盤８５方向に付勢されると共に回転方向の移動が規制されて、複数のフェルール２０の端面を研磨盤８５上に取り付けられた研磨部材８５ａの研磨面に押し付ける。このとき、本実施形態では、上述した治具盤１０に設けられた板部材４０によって各フェルール２０を独立して付勢保持しているので、各フェルール２０の先端部の端面をそれぞれ同じ高さで研摩部材８５ａの研摩面に押し付けることができる。
【００５９】
ここで、上述した端面研磨装置の動作について説明する。
【００６０】
まず、公転運動については、公転用モータ７７を駆動することによって歯車７８，７９を介して公転伝達軸８０を回転させ、研磨盤８５は、所定偏心量だけ公転運動する。この場合、公転伝達軸８０の中に自転用回転軸８３があるが、第１自転伝達盤７２との間に複数の回転伝達盤７４を配しているので、回転伝達盤７４は公転伝達軸８０の回転と同じ位相で第１連結ピン７３回りでそれぞれ回転する。従って、第１自転伝達盤７２が止まっていても、または回転していても公転伝達軸８０の回転が規制されることはない。
【００６１】
一方、自転運動については、自転用モータ７１を駆動することによって第１自転伝達盤７２を回転させるが、第１連結ピン７３は第１自転伝達盤７２の同心円上にあるので、前述と同じ軌跡を通り、自転用回転軸７３は所定量偏心しているが、回転伝達盤７４を介して連結しているので、第１自転伝達盤７２と同じ回転数の回転が自転用回転軸８３に伝達される。
【００６２】
このように、公転伝達軸８０及び自転用回転軸８３が回転運動することで研磨盤８５が回転しながら公転することにより、上述した板部材４０によって各フェルール２０を治具盤本体３０側に付勢保持した状態で、各フェルール２０の端面が研磨されるようになっている。
【００６３】
【発明の効果】
以上説明したように、本発明の治具盤では、フェルールのつば部の後端面に当接する板部材を治具盤本体の内外方向に沿って直線状に移動可能とするようにしたので、フェルールの取り付けが比較的容易であり、且つ従来の治具盤のように回転移動のためのスペースを確保する必要性はないので、フェルールの取り付け本数を多くすることができるという効果を奏する。
【図面の簡単な説明】
【図１】本発明の実施形態１に係る治具盤を示す斜視図及び平面図である。
【図２】本発明の実施形態１に係る図１（ｂ）に示す治具盤本体の要部拡大平面図及びＡ−Ａ′断面図である。
【図３】本発明の実施形態１に係る治具盤本体の斜視図及び平面図である。
【図４】本発明の実施形態１に係る板部材の斜視図である。
【図５】本発明の実施形態１に係る図５（ｂ）に示す治具盤本体のＢ−Ｂ′断面図である。
【図６】本発明の実施形態１に係る治具盤の要部拡大断面図である。
【図７】本発明の他の実施形態に係る板部材の概略平面図である。
【図８】本発明の実施形態１に係る端面研磨装置の一例を示す概略図である。
【符号の説明】
１０  治具盤
２０  フェルール
２１  光ファイバ
２２  フェルール用筒状体
２３  つば部
２４  つば部材
３０  治具盤本体
４０  板部材
５０  付勢手段
６０  棒状部材
【図１】
2005028515.tif 000003
【図２】
2005028515.tif 000004
【図３】
2005028515.tif 000005
【図４】
2005028515.tif 000006
【図５】
2005028515.tif 000007
【図６】
2005028515.tif 000008
【図７】
2005028515.tif 000009
【図８】
2005028515.tif 000010